(57)【要約】【課題】両端に電気コネクタが接続され、中間部分が束ねられたケーブルハーネスで、可動範囲が大きい可動部分で使用することができ、断線が生じないケーブルハーネスを提供する。【解決手段】複数本の電線２の両端末部分が列状に並べられて各電線が所定の間隔を維持するように整線され、中間部分が束ねられ、機器の可動部分で湾曲されて用いられるケーブルハーネスである。ケーブルの中間部分は、２以上の電線群に分割されて束ねられ、これら分割されて束ねられた電線束７，８の少なくとも１つを、他の電線束に対して長さを異ならせている。なお、２以上に分割された電線束７，８が端末部分まで別の電線束とされ、それぞれの端末部分で個別に各電線が所定の間隔を維持するように整線されているようにしてもよい。【選択図】図１
2008262729.tif 000002
【特許請求の範囲】
【請求項１】
複数本の電線の両端末部分が列状に並べられて各電線が所定の間隔を維持するように整線され、中間部分が束ねられ、機器の可動部分で湾曲されて用いられるケーブルハーネスであって、
前記中間部分が２以上の電線群に分割されて束ねられ、これら分割されて束ねられた電線束の少なくとも１つが、他の電線束に対して長さが異なっていることを特徴とするケーブルハーネス。
【請求項２】
前記２以上に分割された電線束が端末部分まで別の電線束とされ、それぞれの端末部分で個別に各電線が所定の間隔を維持するように整線されていることを特徴とする請求項１に記載のケーブルハーネス。
【発明の詳細な説明】
【技術分野】
【０００１】
本発明は、複数本の電線の両端に電気コネクタが接続され、中間部が束ねられた多心のケーブルハーネスに関する。
【背景技術】
【０００２】
携帯電話、小型ビデオカメラ等の普及が進み、これら携帯小型機器の一層の小型化、軽量化が求められている。これらの小型機器は、通常、機器本体部と液晶表示からなる表示部を有し、使用しないときは機器全体がコンパクトになるように、機器本体部と表示部とに回動、捻回、スライド等による相対的な動きを与えて折りたたみ、収納に便なるようにしている。機器本体部と表示部は、複数本の電線（同軸線）を用いて電気接続されるが、機器の小型化に対応して電線が小径化されると共に、回動、捻回等の可動部分により断線が生じないようなケーブルハーネスが求められている。
【０００３】
この種のケーブルハーネスは、例えば、特許文献１に開示されるように、ケーブルの両端が所定の間隔で一列に並べられて電気コネクタに接続され、中間部分は回転、捻回が容易なように一つに束ねられる。この場合、ケーブルの両端に接続される電気コネクタの中央部分に配列される電線の長さと、端の部分に配列される電線の長さを適切にすることにより、断線が生じにくくなるようにしている。
【特許文献１】特開２００５−２３５６９０号公報
【発明の開示】
【発明が解決しようとする課題】
【０００４】
図３は、複数本の電線（絶縁電線）又は同軸線１２からなるケーブルの両端に、電気コネクタ１３及び１４を接続し、ケーブルの中間部分１５をテープで一つに束ねてケーブルハーネス１１とした例である。このケーブルハーネスでは、ケーブル長が長い場合、複数本の電線又は同軸線１２は、全部を均一長さとすることもあるが、異ならせることもある。しかし、ケーブルの中間部分１５を１つに束ねたケーブルハーネスを、可動部分で使用すると、束ねたケーブル電線束の内側と外側で曲げられる径が異なるため、ストレスが生じて断線しやすいという問題がある。
【０００５】
特に、機器の可動範囲が大きくなるにつれてケーブルハーネスの曲げや捻れの角度も大きくなる。一方、伝送される情報量の増加に応じてケーブルハーネスの心数は増加し、ケーブルの電線束が太くなり、曲げや捻れが加えられたときに電線束の内側と外側で曲げられる径の差が大きくなる。これにより、電線束が突っ張って曲がらないということもある。無理に曲げると断線の頻度が増加する。
【０００６】
本発明は、上述した実情に鑑みてなされたもので、両端に電気コネクタが接続され、中間部分が束ねられたケーブルハーネスで、可動範囲が大きい可動部分で使用することができ、断線が生じないケーブルハーネスの提供を目的とする。
【課題を解決するための手段】
【０００７】
本発明によるケーブルハーネスは、複数本の電線の両端末部分が列状に並べられて各電線が所定の間隔を維持するように整線され、中間部分が束ねられ、機器の可動部分で湾曲されて用いられるケーブルハーネスである。ケーブルの中間部分は、２以上の電線群に分割されて束ねられ、これら分割されて束ねられた電線束の少なくとも１つを、他の電線束に対して長さが異ならせている。なお、２以上に分割された電線束が端末部分まで別の電線束とされ、それぞれの端末部分で個別に各電線が所定の間隔を維持するように整線されているようにしてもよい。
【発明の効果】
【０００８】
本発明のケーブルハーネスによれば、回転、捻回、摺動等を伴う可動部分で使用しても、ケーブルの電線束の内側と外側での曲げ径の差によるストレスを軽減することができる。この結果、ケーブルの曲げや捻れの可動範囲が大きくなりケーブルの断線の発生を低減して機器の信頼性を高めることができる。
【発明を実施するための最良の形態】
【０００９】
本発明においては、複数本の電線の両端末部分が列状に並べられて、各電線が所定の間隔を維持するように整線されているケーブルハーネスを対象としている。例えば、端末に電気コネクタが接続されている場合、端末に電気コネクタが接続されていないがグランドバーや樹脂テープで各電線が所定の間隔となるように接着されている場合を含めるものとする。なお、端末に電気コネクタが接続されているケーブルハーネスは、電気コネクタを介して基板等に設けられた回路に電気接続される。端末に電気コネクタが接続されていないケーブルハーネスは、基板やＦＰＣ（フレキシブル回路基板）に設けられた回路に直接電気接続される。
【００１０】
図により本発明の実施の形態を説明する。図１はケーブルの両端にそれぞれ１個の電気コネクタを有する構成例を示し、図２はケーブルの一方の端部に１個の電気コネクタ、他方の端部に２つの電気コネクタを有する構成例を示す。図中、１ａ，１ｂはケーブルハーネス、２は電線（同軸線）、３，４，４ａ，４ｂは電気コネクタ、５は一括電線束、６は結束部、７，８は電線束、７ａは余長部を示す。
【００１１】
図１に示すケーブルハーネス１ａは、例えば、複数本の電線２の両端部分を所定の間隔で一列に並べ、これに電気コネクタ３及び４を接続し、中間部分をテープ等で束ね電線束としたものである。電線２は、例えば、外径０.５ｍｍ以下の極細径の絶縁電線あるいは同軸線が用いられる。また、絶縁電線と同軸線は、互いに混在する形態で用いられていてもよい。
【００１２】
１つのケーブルハーネスでは、電線２の本数は、例えば、３２本〜４０本程度のものが多く用いられているが、本発明では、これ以下の本数であってもよく、これ以上の本数であってもよい。そして、テープ等で束ねるケーブルの中間部分は、例えば、複数本の電線２を２組の電線群に分け、それぞれの電線群にテープを巻きつけて分割された電線束７と８にされる。なお、分割する本数は等分である必要は特にないが、少なくとも１０本以上の単位で分割されているのが望ましい。
【００１３】
２組の電線束７と８は、その電線長が互いに異なるようにされる。電線束７と８のいずれの側を長くするかは、ケーブルハーネス１ａの配設形態によって異なり、また、どの程度線長を異ならせるかは、可動部分におけるケーブルの曲げ径により異なる。それぞれの電線束７と８は、両端それぞれに１個の電気コネクタ３と４が、一括されて接続される。
【００１４】
図１では、一方の電気コネクタ３を、その接続端子列がケーブルの長手方向と平行になるようにＬ字状に接続し、反対側の電気コネクタ４を接続端子列がケーブルの長手方向と直交するようにＴ字状に接続している。これら電気コネクタの形状や接続形態は、機器の配線形態や、相手方のコネクタ形状によって異なる。また、電線束７に含まれる電線群と電線束８に含まれる電線群との間に間隔をおき、両軍を分離して電気コネクタ３に接続する例で示してある。なお、図１では両群を並べて接続する例を示したが二段に重ねるようにしてもよい。
【００１５】
２つに分割された電線束７と８の始端と終端となる部分は、結束部６により一括して１つの束となるようにすることができる。また、電線束７と８を結束部６で１つに束ねた以外の部分は、互いに独立した電線束とするようにしてもよいが、図１に示すように、一部を部分的に二又状に分けて、残りの部分は一括電線束５として１つに束ねるようにしてもよい。この場合、部分的に独立した電線束７と８の長い方の電線束は、弛ませて余長部７ａとしておく。
【００１６】
図２に示す例のケーブルハーネス１ｂは、図１の例と同様に、複数本の電線２の両端部分を所定の間隔で一列に並べ、これに電気コネクタ３及び４ａ，４ｂを接続し、中間部分をテープ等で束ねて構成される。電線２は、外径０.５ｍｍ以下の絶縁電線あるいは同軸線が用いられる。また、絶縁電線と同軸線が混在する形態で用いられていてもよい。
【００１７】
複数本の電線２は、本来は１つの電線束としてまとめて配線される種類のものであるが、これらの電線を、例えば２組の電線群に分け、一方の電線群を、他方の電線群より長めにし、これら電線群の一方の端部に電気コネクタ４ａ又は４ｂをＬ字状あるいはＴ字状に接続する。なお、２つの電気コネクタ４ａと４ｂとは、１つの電気コネクタを用いる代わりに、２つに分割して使用するというものである。
【００１８】
そして、２つに分けられた電線群の他方の端部には、例えば、１つの電気コネクタ３を同様にＬ字状あるいはＴ字状に接続する。これにより、２つに分けられた電線群は、２つの電気コネクタ４ａと４ｂと、１つの電気コネクタ３有する二又形状にされ、そのコネクタ間の中間部分を個別にテープ巻きして、分割された電線群７と８とにする。なお、この電線群７と８は、上記したように、本来１つの電線束としてまとめて配線されるものを２つに分けたもので、互いに沿うように一体にして機器内の可動部分に、湾曲可能に配線される。
【００１９】
電気コネクタ３に接続される側の電線束の始端部分は、図１の例と同様に結束部６として、１つになるようにすることができる。結束部６と反対側の電線束の終端部分は、２つに分けたままとし、それぞれの電線束７，８に接続された電気コネクタ４ａと４ｂは、独立して接続できるようにする。なお、図２では、電気コネクタ４ａと４ｂを異なる形状のもので例示したが、全く同じものを用いてもよい。
【００２０】
図１及び図２に示した実施形態では、分割する電線束が２つである例を示したが、３以上の電線束に分割するようにしてもよい。この場合、複数の電線束の少なくとも１つが、他の電線束に対して長さが異なるように形成されていればよいが、すべての電線束の長さが互いに異なっている方が好ましい。
なお、上記の電線束４，７，８は、結束用のテープを連続して巻付ける例で示したが、テープでなく糸や紐であってもよく、また、テープ等を連続して巻付けて束ねてもよいが、間欠的で部分的に束ねるようにしてもよい。
【００２１】
上記のように構成されたケーブルハーネスは、中間部分の電線群を従来の単一の電線束とする構成のものと比べて、複数に分割された電線束は、その束径を小さくすることができ、ケーブルを湾曲した際に、曲げ外径と曲げ内径の差を小さくでき、曲げやすくなると共にストレスを軽減することができる。また、曲げの外側に位置する電線束の長さを、曲げの外側に位置する電線束より長くすることにより、従来の単一の電線束とする構成のものと比べてケーブルが受けるストレスを内側と外側の電線束に分散させ、低減させることができる。
【００２２】
上記のケーブルハーネスを、例えば、機器本体部と液晶表示部間のように回転、捻回、摺動等の可動部を有する電気配線に用いた際には、ケーブルの可動部の曲げを容易にするとともに、曲げ部分のストレスを軽減して断線の発生を低減し、機器の信頼性を高めることができる。
また、上記では端末に電気コネクタを付ける例で説明したが、端末に電気コネクタを付けないで、グランドバーに各電線を半田付け等で固定したり、樹脂テープに各電線を接着するなどして、各電線が所定の間隔を維持するように整線されている場合も、中間部分を２つ以上の電線束に分岐させる場合も、同様の作用効果を奏することができる。
【図面の簡単な説明】
【００２３】
【図１】本発明の実施の形態を説明する図である。
【図２】本発明の他の実施の形態を説明する図である。
【図３】従来の技術を説明する図である。
【符号の説明】
【００２４】
１ａ，１ｂ…ケーブルハーネス、２…電線（同軸線）、３，４，４ａ，４ｂ…電気コネクタ、５…一括電線束、６…結束部、７，８…電線束、７ａ…余長部。
【図１】
2008262729.tif 000003
【図２】
2008262729.tif 000004
【図３】
2008262729.tif 000005